(57)【要約】      （修正有）【課題】屈曲状アダプティブイヤーピース及びアダプティブイヤホンを提供する。【解決手段】アダプティブイヤホンは、互いに連結される屈曲状アダプティブイヤーピース及びイヤホン線を含む。屈曲状アダプティブイヤーピースは、互いに連結される円台２及び円柱部を含む。円台の軸線と円柱部の軸線を有する平面が第１面とされ、第１面と交差する円台の２つの母線は、それぞれ第１母線及び第２母線である。円台は、アダプティブ部２０を含み、アダプティブ部は、アダプティブ部の外壁に周設される複数の外溝２１を含む。円台の軸線と円柱部の軸線とのなす角度ａは１６２度である。第１面において、円台の第１母線と円柱部の径方向とのなす角度ｂは７９度であり、円台の第２母線と円柱部の径方向とのなす角度ｃは１１４度である。円台及び円柱部は、人間の外耳道の曲がり構造に倣うように互いに屈曲して連結される。これにより、異なる利用者の外耳道にフィットし、簡単に装着され、快適さを向上できる。【選択図】図３
0003213987.tif 000002
【実用新案登録請求の範囲】
【請求項１】
屈曲状アダプティブイヤーピースであって、
互いに連結される円台及び円柱部を含み、
前記円台の軸線と前記円柱部の軸線を有する平面が第１面とされ、
前記第１面と交差する前記円台の２つの母線は、それぞれ第１母線及び第２母線であり、
前記円台は、アダプティブ部を含み、
前記アダプティブ部は、前記アダプティブ部の外壁に周設される複数の外溝を含み、
前記円台の軸線と前記円柱部の軸線とのなす角度は１６２度であり、
前記第１面において、前記円台の第１母線と前記円柱部の径方向とのなす角度は７９度であり、前記円台の第２母線と前記円柱部の径方向とのなす角度は１１４度であることを特徴とする屈曲状アダプティブイヤーピース。
【請求項２】
前記アダプティブ部は、前記外壁から突出して周設される複数の外環を含むことを特徴とする請求項１に記載の屈曲状アダプティブイヤーピース。
【請求項３】
前記アダプティブ部は、前記アダプティブ部の内壁から突出して周設される複数の内環を含むことを特徴とする請求項１または２に記載の屈曲状アダプティブイヤーピース。
【請求項４】
前記アダプティブ部は、前記内壁に窪んで周設される内溝を含むことを特徴とする請求項３に記載の屈曲状アダプティブイヤーピース。
【請求項５】
前記円台の軸方向には、前記外溝及び前記内溝が交互に配置されることを特徴とする請求項４に記載の屈曲状アダプティブイヤーピース。
【請求項６】
互いに連結される屈曲状アダプティブイヤーピース及びイヤホン線を含むアダプティブイヤホンであって、
前記屈曲状アダプティブイヤーピースは、互いに連結される円台及び円柱部を含み、
前記円台の軸線と前記円柱部の軸線を有する平面が第１面とされ、
前記第１面と交差する前記円台の２つの母線は、それぞれ第１母線及び第２母線であり、
前記円台は、アダプティブ部を含み、
前記アダプティブ部は、前記アダプティブ部の外壁に周設される複数の外溝を含み、
前記円台の軸線と前記円柱部の軸線とのなす角度は１６２度であり、
前記第１面において、前記円台の第１母線と前記円柱部の径方向とのなす角度は７９度であり、前記円台の第２母線と前記円柱部の径方向とのなす角度は１１４度であることを特徴とするアダプティブイヤホン。
【請求項７】
前記アダプティブ部は、前記外壁から突出して周設される複数の外環を含むことを特徴とする請求項６に記載のアダプティブイヤホン。
【請求項８】
前記アダプティブ部は、前記アダプティブ部の内壁から突出して周設される複数の内環を含むことを特徴とする請求項６または７に記載のアダプティブイヤホン。
【請求項９】
前記アダプティブ部は、前記内壁に窪んで周設される内溝を含むことを特徴とする請求項８に記載のアダプティブイヤホン。
【請求項１０】
前記円台の軸方向には、前記外溝及び前記内溝が交互に配置されることを特徴とする請求項９に記載のアダプティブイヤホン。
【考案の詳細な説明】
【技術分野】
【０００１】
本考案は、イヤホンの技術分野に関し、特に、屈曲状アダプティブイヤーピース及びアダプティブイヤホンに関する。
【背景技術】
【０００２】
現在、イヤホンのイヤーピースは小型であり外耳道にそのまま挿入されることができる。これにより、利用者は、周りの人たちに迷惑をかけない状態で電子音を聞くことができる。このように、イヤホンのイヤーピースは小型軽量、持ち運びやすいといった実用性を有するため、ＭＰ３プレーヤーや携帯電話、携帯情報端末（ＰＤＡ）、ノートパソコン等に関連する電子製品に必要なアクセサリとなっている。
【０００３】
従来のイヤホンは図１に示すように、イヤーピース５１及びイヤホン線５０を含み、イヤホン線の音導管ブッシュ５２がイヤーピース内に設けられる。人の耳や外耳道の形、サイズ、大きさは人によってそれぞれ異なる。したがって、従来のイヤホンは耳に装着されにくいほか、利用者の快適さを大幅に低下させている。
【考案の概要】
【考案が解決しようとする課題】
【０００４】
本考案の第１目的としては、人間の外耳道の曲がり構造に合わせて、利用者が簡単に装着することができるほか、利用者の快適さを向上可能な屈曲状アダプティブイヤーピースを提供することである。
【課題を解決するための手段】
【０００５】
上記の第１目的を達成するために、本考案の一実施形態に係る屈曲状アダプティブイヤーピースは、互いに連結される円台及び円柱部を含む。円台の軸線と円柱部の軸線を有する平面が第１面とされ、第１面と交差する円台の２つの母線は、それぞれ第１母線及び第２母線である。円台は、アダプティブ部を含み、アダプティブ部は、アダプティブ部の外壁に周設される複数の外溝を含む。円台の軸線と円柱部の軸線とのなす角度は１６２度である。第１面において、円台の第１母線と円柱部の径方向とのなす角度は７９度であり、円台の第２母線と円柱部の径方向とのなす角度は１１４度である。
【０００６】
上記により、屈曲状アダプティブイヤーピースに含まれる２つの回転体は、それぞれ円台及び円柱部であり、円台及び円柱部は、人間の外耳道の曲がり構造に倣うように互いに屈曲して連結される。これにより、アダプティブ部は、円台の軸線に沿って揺動することで、異なる利用者の外耳道にフィットし、利用者によって簡単に装着され、利用者の快適さを向上させることができる。
【０００７】
一実施形態では、アダプティブ部は、外壁から突出して周設される複数の外環を含む。
【０００８】
これにより、イヤーピースの揺動効果を向上させ、その結果、利用者が簡単にイヤーピースを装着することができる。
【０００９】
一実施形態では、アダプティブ部は、アダプティブ部の内壁から突出して周設される複数の内環を含む。
【００１０】
これにより、イヤーピースの揺動効果を向上させ、その結果、利用者が簡単にイヤーピースを装着することができる。
【００１１】
一実施形態では、アダプティブ部は、内壁に窪んで周設される内溝を含む。
【００１２】
これにより、イヤーピースの揺動効果を向上させ、その結果、利用者が簡単にイヤーピースを装着することができる。
【００１３】
一実施形態では、円台の軸方向には、外溝及び内溝が交互に配置される。
【００１４】
これにより、イヤーピースの揺動効果を向上させ、その結果、利用者が簡単にイヤーピースを装着することができる。
【００１５】
上記の第２目的を達成するために、本考案の一実施形態に係るアダプティブイヤホンは、互いに連結される屈曲状アダプティブイヤーピース及びイヤホン線を含む。屈曲状アダプティブイヤーピースは、互いに連結される円台及び円柱部を含む。円台の軸線と円柱部の軸線を有する平面が第１面とされ、第１面と交差する円台の２つの母線は、それぞれ第１母線及び第２母線である。円台は、アダプティブ部を含み、アダプティブ部は、アダプティブ部の外壁に周設される複数の外溝を含む。円台の軸線と円柱部の軸線とのなす角度は１６２度である。第１面において、円台の第１母線と円柱部の径方向とのなす角度は７９度であり、円台の第２母線と円柱部の径方向とのなす角度は１１４度である。
【００１６】
上記により、屈曲状アダプティブイヤーピースに含まれる２つの回転体は、それぞれ円台及び円柱部であり、円台及び円柱部は、人間の外耳道の曲がり構造に倣うように互いに屈曲して連結される。これにより、アダプティブ部は、円台の軸線に沿って揺動することで、異なる利用者の外耳道にフィットし、利用者によって簡単に装着され、利用者の快適さを向上させることができる。
【００１７】
一実施形態では、アダプティブ部は、外壁から突出して周設される複数の外環を含む。
【００１８】
これにより、イヤーピースの揺動効果を向上させ、その結果、利用者が簡単にイヤーピースを装着することができる。
【００１９】
一実施形態では、アダプティブ部は、アダプティブ部の内壁から突出して周設される複数の内環を含む。
【００２０】
これにより、イヤーピースの揺動効果を向上させ、その結果、利用者が簡単にイヤーピースを装着することができる。
【００２１】
一実施形態では、アダプティブ部は、内壁に窪んで周設される内溝を含む。
【００２２】
これにより、イヤーピースの揺動効果を向上させ、その結果、利用者が簡単にイヤーピースを装着することができる。
【００２３】
一実施形態では、円台の軸方向には、外溝及び内溝が交互に配置される。
これにより、イヤーピースの揺動効果を向上させ、その結果、利用者が簡単にイヤーピースを装着することができる。
【図面の簡単な説明】
【００２４】
【図１】従来のイヤホンの構成を示す図である。
【図２】本考案の一実施形態に係る屈曲状アダプティブイヤーピースの構成を示す図である。
【図３】本考案の一実施形態に係る屈曲状アダプティブイヤーピースの構成を示す断面図である。
【考案を実施するための形態】
【００２５】
以下、本考案をより明確にするために、図面を参照しながら、本考案の好適な実施形態について詳しく説明する。
図２及び図３に示すように、本考案の一実施形態に係るアダプティブイヤホンは、互いに連結される屈曲状アダプティブイヤーピース及びイヤホン線を含む。屈曲状アダプティブイヤーピース１は、互いに連結される円台２及び円柱部３を含む。円台２の軸線と円柱部３の軸線を有する平面を第１面とし、第１面と交差する円台２の２つの母線を、それぞれ第１母線及び第２母線とする。イヤーピース１は、円台２の端部から円台２の軸線に沿ってアダプティブ部２０へ延在して形成される円弧部６を含む。円弧部６の延在方向に、円弧部６が円台２の軸線に対して円台２の径方向に沿って外側に広がっている。
【００２６】
円台２は、円柱部３に連結されるアダプティブ部２０を含む。アダプティブ部は、アダプティブ部２０の外壁に周設される複数の外溝２１を含む。また、アダプティブ部２０は、外壁から突出して周設される複数の外環２２を含む。また、アダプティブ部２０は、アダプティブ部２０の内壁から突出して周設される複数の内環２４を含む。また、アダプティブ部２０は、内壁に窪んで周設される内溝２３を含む。なお、円台２の軸方向には、外溝２１及び内溝２３が交互に配置され、外環２２及び内環２４が交互に配置される。アダプティブ部２０により、イヤーピースの揺動効果を向上させ、その結果、利用者が簡単にイヤーピースを装着することができる。本実施形態では、外溝２１及び外環２２の個数をそれぞれ３つにし、内溝２３及び内環２４の個数をそれぞれ２つにし、各外溝２１を隣り合う２つの外環２２同士間に位置させ、各内溝２３を隣り合う２つの内環２４同士間に位置させている。
【００２７】
図３に示すように、円台２の軸線と円柱部３の軸線とのなす角度ａは１６２度である。また、第１面において、円台２の第１母線と円柱部３の径方向とのなす角度ｂは７９度であり、円台２の第２母線と円柱部３の径方向とのなす角度ｃは１１４度である。なお、円台２の第１母線は、図３の、円台２の上端部に位置する母線であり、円台２の第２母線は、図３の、円台２の下端部に位置する母線である。
屈曲状アダプティブイヤーピース１に含まれる２つの回転体は、それぞれ円台２及び円柱部３であり、円台２及び円柱部３は、人間工学に基づき、人間の外耳道の曲がり構造に倣うように互いに屈曲して連結される。アダプティブ部２０は、異なる利用者の外耳道の構造に応じて円台２の軸線に沿って自ら揺動することで、利用者の外耳道によくフィットし、イヤーピース１の適応機能を実現する。その結果、イヤーピース１は異なる利用者の外耳道にフィットし、利用者によって簡単に装着され、利用者の快適さを向上させることができる。
【００２８】
上述した構成をイヤーピースとして設置するような実施形態は、イヤーピースまたはイヤホンの適応機能を実現するための実施形態である。
以上、本考案の好ましい実施形態を挙げて説明したが、これは本考案の実施形態の一例に過ぎない。説明した実施形態は、本考案の範囲を限定するものではないことを理解されたい。本考案の精神や原則を逸脱せずに行う各種の修正、同様の効果をもつ改良又は変更は、本考案の保護を求める範囲内に属するものである。
【図１】
0003213987.tif 000003
【図２】
0003213987.tif 000004
【図３】
0003213987.tif 000005